(57)【特許請求の範囲】
【請求項１】
コンクリートが打設されて形成される床面のレベル調整をするために床面となる領域に設置される座板の設置構造であって、
先端部に雄螺子部を形成した基礎ボルトが、前記床面となる領域内の複数箇所に垂直に立設され、
前記座板は、少なくとも下部に取付用雌螺子孔を形成した複数の単位座板で構成され、
前記単位座板は、前記取付用雌螺子孔を前記雄螺子部に螺合させて上下動可能に前記複数の基礎ボルトにそれぞれ取り付けられ、
前記単位座板の上部には前記取付用雌螺子と同軸に機器固定用雌螺子孔が形成され、前記取付用雌螺子孔と前記機器固定用雌螺子孔との間は、該両孔を連通させない壁部が形成され、
さらに複数の前記単位座板の円筒状本体の上部に形成され該円筒状本体より大径の円板部の上面と打設された前記コンクリートの上面をそれぞれ被膜するライニング板を敷設して前記床面が形成されたことを特徴とする座板の設置構造。
【請求項２】
レベル調整用の座板が設けられた座板設置床構造の施工方法であって、
先端部に雄螺子部が形成された基礎ボルトを、所定の複数箇所に垂直に立設するボルト設置工程と、
少なくとも下部に取付用雌螺子孔が形成されるとともに上部に該取付用雌螺子孔と同軸に機器固定用雌螺子孔が形成され、前記取付用雌螺子孔と前記機器固定用雌螺子孔との間に、該両雌螺子孔を連通させない壁部が形成された複数の単位座板を、前記雄螺子部に前記取付用雌螺子孔を螺合させて前記基礎ボルトにそれぞれ取り付ける単位座板取付工程と、
前記単位座板と前記基礎ボルトとの周囲に、単位座板の上面を露出させた状態でコンクリートを打設するコンクリート打設工程とを備え、
該コンクリート打設工程は、前記単位座板の下部近傍までコンクリートを打設する一次打設工程と、
一次打設工程の後、前記単位座板を回転させて上下動させ高さ調整を行うレベル調整工程と、
該レベル調整工程の後、前記単位座板の周囲までコンクリートを打設する二次打設工程と、
複数の前記単位座板の円筒状本体の上部に形成され該円筒状本体より大径の円板部の上面と二次打設工程で打設された前記コンクリートの上面をそれぞれ被膜するライニング板を敷設する工程を備えていることを特徴とする座板設置床構造の施工方法。
【請求項３】
レベル調整用の座板が設けられた座板設置床構造の施工方法であって、
先端部に雄螺子部が形成された基礎ボルトを、所定の複数箇所に垂直に立設するボルト設置工程と、
少なくとも下部に取付用雌螺子孔が形成されるとともに上部に該取付用雌螺子孔と同軸に機器固定用雌螺子孔が形成され、前記取付用雌螺子孔と前記機器固定用雌螺子孔との間に、該両雌螺子孔を連通させない壁部が形成された複数の単位座板を、前記雄螺子部に前記取付用雌螺子孔を螺合させて前記基礎ボルトにそれぞれ取り付ける単位座板取付工程と、
前記単位座板に、その外周面を覆って、人力で破壊可能な低強度材料で形成された環状のスペーサを取り付けるスペーサ取付工程と、
前記スペーサを取り付けた前記単位座板と前記基礎ボルトとの周囲に、前記単位座板の上面を露出させた状態でコンクリートを打設するコンクリート打設工程と、
該コンクリート打設工程の後、前記スペーサを破壊するとともに、前記単位座板を回転させて上下動させ高さ調整を行うレベル調整工程と、
該レベル調整工程の後に、前記スペーサを破壊し取り除いた空間に前記単位座板の周囲をモルタルにて充填するモルタル充填工程と、
該モルタル充填工程の後に、複数の前記単位座板の円筒状本体の上部に形成され該円筒状本体より大径の円板部の上面と打設された前記コンクリートの上面と充填された前記モルタルの上面をそれぞれ被膜するライニング板を敷設する工程とを備えていることを特徴とする座板設置床構造の施工方法。
【発明の詳細な説明】
【０００１】
【発明の属する技術分野】
本発明は、コンクリートで打設されて形成される機器据付用床面のレベル調整のために床面となる領域に設置される座板の設置構造およびレベル調整用の座板が設けられた座板設置床構造の施工方法に関する。
【０００２】
【従来の技術】
機器の据え付け基礎となる床面をコンクリートを打設して形成する場合に、床面の水平度を出すために座板を設置することが行われている。
すなわち、従来における座板が設置される床面では、例えば、図１０の（ａ）（ｂ）に示すように、コンクリート１が打設される前に、アンカーボルト２が床面３となる領域に立設状態に複数配筋され、これらアンカーボルト２の先端に一枚の座板４が水平状態にボルト５で所定高さに設置される。
この後、コンクリート１が座板４の下面まで打設されて床面３が形成される。
【０００３】
【発明が解決しようとする課題】
しかしながら、上記従来の座板設置手段には、以下のような課題が残されている。すなわち、立設状態に配筋されたアンカーボルト２がコンクリート１の打設によって傾倒してしまい、その上部に設置された座板４が全体的に傾いてしまって高精度な水平度を得ることができなかった。このため、機器を据え付ける前に、座板４と機器の底面との間に所定厚さのライナーを挟み込んでライナー調整を行う必要があり、据付作業に手間がかかり、作業効率を低下させる要因となっていた。
【０００４】
本発明は、前述の課題に鑑みてなされたもので、コンクリートの打設により形成される床面のレベル調整を高精度で行うことができ、機器の据え付け作業の効率を向上させることができる座板の設置構造および座板設置床構造の施工方法を提供することを目的とする。
【０００５】
【課題を解決するための手段】
本発明は、前記課題を解決するために以下の構成を採用した。すなわち、請求項１記載の座板の設置構造では、コンクリートが打設されて形成される床面のレベル調整をするために床面となる領域に設置される座板の設置構造であって、先端部に雄螺子部を形成した基礎ボルトが、前記床面となる領域内の複数箇所に垂直に立設され、前記座板は、少なくとも下部に取付用雌螺子孔を形成した複数の単位座板で構成され、前記単位座板は、前記取付用雌螺子孔を前記雄螺子部に螺合させて上下動可能に前記複数の基礎ボルトにそれぞれ取り付けられ、前記単位座板の上部には前記取付用雌螺子と同軸に機器固定用雌螺子孔が形成され、前記取付用雌螺子孔と前記機器固定用雌螺子孔との間は、該両孔を連通させない壁部が形成され、さらに複数の前記単位座板の円筒状本体の上部に形成され該円筒状本体より大径の円板部の上面と打設された前記コンクリートの上面をそれぞれ被膜するライニング板を敷設して前記床面が形成される技術が採用される。
【０００６】
また、請求項２記載の座板設置床構造の施工方法では、レベル調整用の座板が設けられた座板設置床構造の施工方法であって、先端部に雄螺子部が形成された基礎ボルトを、所定の複数箇所に垂直に立設するボルト設置工程と、少なくとも下部に取付用雌螺子孔が形成されるとともに上部に該取付用雌螺子孔と同軸に機器固定用雌螺子孔が形成され、前記取付用雌螺子孔と前記機器固定用雌螺子孔との間に、該両雌螺子孔を連通させない壁部が形成された複数の単位座板を、前記雄螺子部に前記取付用雌螺子孔を螺合させて前記基礎ボルトにそれぞれ取り付ける単位座板取付工程と、前記単位座板と前記基礎ボルトとの周囲に、単位座板の上面を露出させた状態でコンクリートを打設するコンクリート打設工程とを備え、該コンクリート打設工程は、前記単位座板の下部近傍までコンクリートを打設する一次打設工程と、一次打設工程の後、前記単位座板を回転させて上下動させ高さ調整を行うレベル調整工程と、該レベル調整工程の後、前記単位座板の周囲までコンクリートを打設する二次打設工程と、複数の前記単位座板の円筒状本体の上部に形成され該円筒状本体より大径の円板部の上面と二次打設工程で打設された前記コンクリートの上面をそれぞれ被膜するライニング板を敷設する工程を備えている技術が採用される。
【０００７】
この座板の設置構造および座板設置床構造の施工方法では、前記座板が、少なくとも下部に取付用雌螺子孔を形成した複数の単位座板で構成され、単位座板が、取付用雌螺子孔を基礎ボルトの雄螺子部に螺合させて上下動可能に複数の基礎ボルトにそれぞれ取り付けられているので、各単位座板において個別に高さ調整を行うことができる。そして、コンクリートを打設する際に、一旦、単位座板の下部近傍までコンクリートを打設し、単位座板を回転させて上下動させることにより、全体としての座板のレベルを再調整し、さらにこの後、再び単位座板の周囲までコンクリートを打設することにより、ライナー調整によらずとも基礎ボルトのゆがみによって生じた座板の傾きを矯正することができる。
また、単位座板の上部に機器を取り付けるための機器固定用雌螺子孔が形成され、機器固定用雌螺子孔が、取付用雌螺子孔と同軸に設定されているので、単位座板に機器を直接据え付けることができるとともに、単位座板を回転させて高さ調整した後も機器固定用雌螺子孔の位置が横方向にずれず、正確に機器を据え付けることができる。
さらに、取付用雌螺子孔と機器固定用雌螺子孔との間には、両孔を連通させない壁部が形成されているので、単位座板上の流体が機器固定用雌螺子孔に侵入しても単位座板下部のコンクリートに浸透することがない。
【０００９】
また、請求項３記載の座板設置床構造の施工方法では、レベル調整用の座板が設けられた座板設置床構造の施工方法であって、先端部に雄螺子部が形成された基礎ボルトを、所定の複数箇所に垂直に立設するボルト設置工程と、少なくとも下部に取付用雌螺子孔が形成されるとともに上部に該取付用雌螺子孔と同軸に機器固定用雌螺子孔が形成され、前記取付用雌螺子孔と前記機器固定用雌螺子孔との間に、該両雌螺子孔を連通させない壁部が形成された複数の単位座板を、前記雄螺子部に前記取付用雌螺子孔を螺合させて前記基礎ボルトにそれぞれ取り付ける単位座板取付工程と、前記単位座板に、その外周面を覆って、人力で破壊可能な低強度材料で形成された環状のスペーサを取り付けるスペーサ取付工程と、前記スペーサを取り付けた前記単位座板と前記基礎ボルトとの周囲に、前記単位座板の上面を露出させた状態でコンクリートを打設するコンクリート打設工程と、該コンクリート打設工程の後、前記スペーサを破壊するとともに、前記単位座板を回転させて上下動させ高さ調整を行うレベル調整工程と、該レベル調整工程の後に、前記スペーサを破壊し取り除いた空間に前記単位座板の周囲をモルタルにて充填するモルタル充填工程と、該モルタル充填工程の後に、複数の前記単位座板の円筒状本体の上部に形成され該円筒状本体より大径の円板部の上面と打設された前記コンクリートの上面と充填された前記モルタルの上面をそれぞれ被膜するライニング板を敷設する工程とを備えている技術が採用される。
【００１０】
この座板設置床構造の施工方法では、人力で破壊可能な低強度材料で形成された環状のスペーサが、単位座板の外周面を覆って取り付けられているので、コンクリートを全て打設した後に、スペーサを破壊することにより単位座板の周囲に空間を形成し、単位座板を回転操作することが可能になり、容易に単位座板を上下させることができる。すなわち、コンクリートを打設する際に、単位座板の下部近傍で一旦打設を中断しなくても、一度に単位座板の上面のレベルまで打設した後に単位座板の高さ調整が可能であり、打設工程を２つに分ける必要がない。
【００１５】
【発明の実施の形態】
以下、本発明に係る座板の配置構造および座板配置床構造の施工方法の第１実施形態を図１から図５を参照しながら説明する。
これらの図にあって、符号１１はアンカーボルト、１２は単位座板を示している。
【００１６】
〔アンカーボルト配筋工程〕
まず、図１の（ａ）（ｂ）に示すように、床面となる領域Ａ内の複数箇所に垂直にアンカーボルト（基礎ボルト）１１を立設する。
該アンカーボルト１１は、その先端部分に雄螺子部１１ａが形成されている。
本実施形態では、アンカーボルト１１が八角形の領域Ａ内に円周上に並べられる。
【００１７】
〔単位座板取付工程〕
この後、図２の（ａ）（ｂ）に示すように、配筋された各アンカーボルト１１の先端部分に単位座板１２を取り付ける。これら単位座板１２は、全体として一つの座板を構成する。
前記単位座板１２は、円筒状本体１２ａと、その上部に形成され円筒状本体１２ａより大径な円板部１２ｂとからなり、その下部には、雄螺子部１１ａに螺合可能な取付用雌螺子孔１２ｃが上下に貫通状態に形成されている。
【００１８】
すなわち、円板部１２ｂを上方に向けた状態で単位座板１２の取付用雌螺子孔１２ｃを、雄螺子部１１ａに螺合させ、アンカーボルト１１に単位座板１２を取り付ける。
このとき、各単位座板１２を回転操作することによって上下に動かし、高さ調整を行うことにより、座板全体としてのレベル調整を行う。
【００１９】
〔一次打設工程〕
各単位座板１２の高さ調整を行った後、図３の（ａ）（ｂ）に示すように、領域Ａに一次コンクリート１３を打設する。
このとき、一次コンクリート１３は、単位座板１２の下部近傍の所定高さ（以下、基準線Ｂという）まで打設するものとし、単位座板１２が上下動可能なスペースを確保しておく。
【００２０】
〔レベル調整工程〕
一次コンクリート１３の打設後、単位座板１２を回すことにより、基準線Ｂに対して各単位座板１２の上面レベルを再調整する。これによって、座板全体としての再レベル調整が行われる。
【００２１】
〔二次打設工程〕
さらに、一次コンクリート１３の上に、図４の（ａ）（ｂ）に示すように、二次コンクリート１４を打設する。
このとき、二次コンクリート１４は、単位座板１２の上面が露出した状態で床面１５の所定高さ、すなわち単位座板１２の周囲まで打設する。
この後、二次コンクリート１４の表面に被膜としてライニング板１６を敷設して床面１５を形成する。
【００２２】
〔機器据え付け工程〕
コンクリートの養生期間を経て床面１５上に機器１７を搬入するとともに、図５に示すように、各単位座板１２の取付用雌螺子孔（機器固定用雌螺子孔）１２ｃに上部から機器１７の据付用ボルト１８を螺合させることにより、当該機器１７を単位座板１２および床面１５に据え付け固定する。
【００２３】
この座板の設置構造および座板設置床構造の施工方法では、座板が、下部に取付用雌螺子孔１２ｃを形成した複数の単位座板１２で構成され、単位座板１２が、取付用雌螺子孔１２ｃをアンカーボルト１１の雄螺子部１１ａに螺合させて上下動可能に複数のアンカーボルト１１にそれぞれ取り付けられているので、各単位座板１２において個別に高さ調整を行うことができ、座板全体として高精度なレベル調整が可能となる。
【００２４】
また、コンクリートを打設する際に、一旦、単位座板１２の下部近傍における基準線Ｂまで一次コンクリート１３を打設し、単位座板１２を回転させて上下動させることにより、全体としての座板のレベルを再調整し、さらにこの後、再び単位座板１２の周囲まで二次コンクリート１４を打設することにより、ライナー調整によらずともアンカーボルト１１のゆがみによって生じた座板の傾きを矯正することができる。
【００２５】
次に、本発明に係る座板の配置構造および座板配置床構造の施工方法の第２実施形態を図６から図９を参照しながら説明する。
これらの図にあって、符号２０はスペーサ、２１は単位座板を示している。
【００２６】
第２実施形態と第１実施形態との異なる点は、第１実施形態では、レベル調整のために一次打設工程と二次打設工程の２度の打設を行うのに対し、第２実施形態では、図６の（ａ）（ｂ）に示すようなスペーサ２０を用いることにより、コンクリートを一度に打設してしまった後にレベル調整を行う点である。
以下に、第１実施形態と同様であるアンカーボルト配筋工程以降の各工程について詳述する。
【００２７】
〔スペーサ取付工程〕
アンカーボルト１１に取り付ける単位座板２１には、その外周面を覆って、人力で破壊可能な低強度材料、例えば発泡スチロールで形成された環状のスペーサ２０を予めはめ込んで取り付けておく。
該スペーサ２０は、内周面の断面形状が段部状とされ、単位座板２１の円板部２１ｂおよび円筒状本体２１ａの両外周面に当接するような形状とされている。
【００２８】
また、前記単位座板２１は、円筒状本体２１ａと円板部２１ｂとから構成され、下部に軸線を同じくした取付用雌螺子孔２１ｃが形成されるとともに、該取付用雌螺子孔２１ｃと同軸に設定された機器固定用雌螺子孔２１ｄが上部に形成され、取付用雌螺子孔２１ｃと機器固定用雌螺子孔２１ｄとの間には、両孔を連通させない壁部２１ｅが形成されている。
【００２９】
〔単位座板取付工程〕
第１実施形態と同様な〔アンカーボルト配筋工程〕の後、図６の（ａ）（ｂ）に示すように、配筋された各アンカーボルト１１の先端部分にスペーサ２０を取り付けた単位座板２１を取り付ける。
すなわち、円板部２１ｂを上方に向けた状態で単位座板２１の取付用雌螺子孔２１ｃを、雄螺子部１ａに螺合させることにより、アンカーボルト１１に単位座板２１を取り付ける。
このとき、各単位座板２１をスペーサ２０とともに回転操作することによって上下に動かし、高さ調整を行うことにより、座板全体としてのレベル調整を行う。
【００３０】
〔コンクリート打設工程〕
各単位座板２１の高さ調整を行った後、図７の（ａ）（ｂ）に示すように、領域Ａにコンクリート２２を打設する。
このとき、コンクリート２２は、単位座板２１の上面を露出させた状態で床面２５の所定高さ、すなわち単位座板２１に取り付けられたスペーサ２０の周囲まで打設する。
【００３１】
〔レベル調整工程〕
コンクリート２２の打設後、図８の（ａ）（ｂ）に示すように、スペーサ２０を破壊して取り除くとともに、これによって単位座板２１の周囲に空間Ｋを形成し、単位座板２１を回転操作することによって上下させ、単位座板２１の上面レベルを再調整する。これによって、座板全体としての再レベル調整が行われる。
なお、このレベル調整後、図９に示すように、空間ＫをモルタルＭ（ノンシュリンク）にて充填する。
この後、コンクリート２２の表面に被膜としてライニング板６を敷設して床面２５を形成する。
【００３２】
〔機器据え付け工程〕
コンクリートの養生期間を経て床面２５上に機器１７を搬入するとともに、図９に示すように、各単位座板２１の機器固定用雌螺子孔２１ｄに上部から機器１７の据付用ボルト１８を螺合させることにより、当該機器１７を単位座板２１および床面２５に据え付け固定する。
【００３３】
この座板の設置構造および座板設置床構造の施工方法では、人力で破壊可能な低強度材料で形成された環状のスペーサ２０が、単位座板２１の外周面を覆って取り付けられているので、コンクリート２２を打設した後に、スペーサ２０を破壊することにより単位座板２１の周囲に空間Ｋを形成し、単位座板２１を回転操作することが可能になり、容易に単位座板２１を上下させることができる。
すなわち、第１実施形態のように、コンクリートを打設する際に、単位座板の下部近傍で一旦打設を中断しなくても、一度に単位座板２１の上面のレベルまで打設した後に単位座板２１の再度の高さ調整が可能であり、打設工程を２つに分ける必要がない。
【００３４】
また、この座板の設置構造では、取付用雌螺子孔２１ｃと機器固定用雌螺子孔２１ｄとの間には、両孔を連通させない壁部２１ｅが形成されているので、単位座板２１上の流体が機器固定用雌螺子孔２１ｄに侵入しても、壁部２１ｅによって遮断され単位座板２１下部のコンクリート２２に浸透することがない。
例えば、放射性流体である放射性廃液を取り扱う機器を据え付けた場合でも、たとえ放射性廃液が単位座板２１の機器固定用雌螺子孔２１ｄに侵入しても基礎のコンクリート２２を汚染することはない。
【００３５】
【発明の効果】
本発明によれば、以下の効果を奏する。
（１）請求項１記載の座板の設置構造および請求項２記載の座板設置床構造の施工方法によれば、座板が、少なくとも下部に取付用雌螺子孔を形成した複数の単位座板で構成され、単位座板が、取付用雌螺子孔を基礎ボルトの雄螺子部に螺合させて上下動可能に複数の基礎ボルトにそれぞれ取り付けられているので、各単位座板において個別に高さ調整を行うことができ、座板全体として高精度なレベル調整を行うことができる。そして、コンクリートを打設する際に、一旦、単位座板の下部近傍までコンクリートを打設し、単位座板を回転させてレベルを再調整することにより、ライナー調整によらずとも基礎ボルトのゆがみによって生じた座板の傾きを矯正することができ、高い据付精度をもって機器の据え付け作業の効率を向上させることができる。
また、単位座板の上部に機器を取り付けるための機器固定用雌螺子孔が形成され、機器固定用雌螺子孔が、取付用雌螺子孔と同軸に設定されているので、単位座板に機器を直接据え付けることができるとともに、単位座板を回転させて高さ調整した後も機器固定用雌螺子孔の位置が横方向にずれず、正確に機器を据え付けることができる。
さらに、取付用雌螺子孔と機器固定用雌螺子孔との間には、両孔を連通させない壁部が形成されているので、単位座板上の流体が機器固定用雌螺子孔に侵入しても、単位座板下部のコンクリートへの浸透を防ぐことができる。
【００３６】
（２）請求項３記載の座板設置床構造の施工方法によれば、人力で破壊可能な低強度材料で形成された環状のスペーサが、単位座板の外周面を覆って取り付けられているので、コンクリートを全て打設した後でも、スペーサを破壊することにより単位座板を回転操作することが可能になり、コンクリートの打設工程を途中で中断しなくても容易に単位座板を上下動させることができ、工程の短縮化を図ることができる。
【図面の簡単な説明】
【図１】  本発明に係る座板の設置構造および座板設置床構造の施工方法の第１実施形態におけるアンカーボルト配筋工程を示す上面図および要部断面図である。
【図２】  本発明に係る座板の設置構造および座板設置床構造の施工方法の第１実施形態における単位座板取付工程を示す上面図および要部断面図である。
【図３】  本発明に係る座板の設置構造および座板設置床構造の施工方法の第１実施形態における一次打設工程およびレベル調整工程を示す上面図および要部断面図である。
【図４】  本発明に係る座板の設置構造および座板設置床構造の施工方法の第１実施形態における二次打設工程を示す上面図および要部断面図である。
【図５】  本発明に係る座板の設置構造および座板設置床構造の施工方法の第１実施形態における機器据え付け工程を示す要部断面図である。
【図６】  本発明に係る座板の設置構造および座板設置床構造の施工方法の第２実施形態における単位座板取付工程を示す上面図および要部断面図である。
【図７】  本発明に係る座板の設置構造および座板設置床構造の施工方法の第２実施形態におけるコンクリート打設工程を示す上面図および要部断面図である。
【図８】  本発明に係る座板の設置構造および座板設置床構造の施工方法の第２実施形態におけるレベル調整工程を示す上面図および要部断面図である。
【図９】  本発明に係る座板の設置構造および座板設置床構造の施工方法の第２実施形態における機器据え付け工程を示す要部断面図である。
【図１０】  本発明に係る座板の設置構造および座板設置床構造の施工方法の従来例を示す上面図および要部断面図である。
【符号の説明】
１１  アンカーボルト（基礎ボルト）
１１ａ  雄螺子部
１２，２１  単位座板
１２ｃ  取付用雌螺子孔（機器固定用雌螺子孔）
１３  一次コンクリート
１４  二次コンクリート
１５  床面
２０  スペーサ
２１ｃ  取付用雌螺子孔
２１ｄ  機器固定用雌螺子孔
２１ｅ  壁部
２２  コンクリート
Ａ  床面となる領域
【図１】
0004282847.tif 000002
【図２】
0004282847.tif 000003
【図３】
0004282847.tif 000004
【図４】
0004282847.tif 000005
【図５】
0004282847.tif 000006
【図６】
0004282847.tif 000007
【図７】
0004282847.tif 000008
【図８】
0004282847.tif 000009
【図９】
0004282847.tif 000010
【図１０】
0004282847.tif 000011